(57)【要約】【課題】  足場を構成する架設部材である横架材に対する着脱が容易で、しかも迅速に行える幅木の提供である。【解決手段】  足場を構成する踏板６の幅方向の両端部に配置される足場用幅木Ａであって、細長比の大きな長方形状をした幅木本体２０と、当該幅木本体２０の長手方向の両端部に取付けられ、横架材４に係脱可能に係止される一対の係止金具Ｅとから成り、前記一対の係止金具Ｅの少なくとも一方は、引張りバネ（付勢手段）１４により前記横架材４に係止される方向に付勢された状態で、前記幅木本体２０に対して回動可能に支持された構成とする。【選択図】  図６
2010255268.tif 000002
【特許請求の範囲】
【請求項１】
作業者の移動方向に沿って所定間隔をおいて立設される一対一組となった多数組の支柱、一対一組の支柱間に架設される多数の横架材、作業者の移動方向に沿って隣接する支柱間に架設される縦架材、隣接する前記横架材の間に支持される踏板等の機能の異なる各架設部材を組み付けて建築現場等に仮設される足場に使用され、前記踏板から作業者の足を踏み落としたり、或いは各種作業道具、建築資材等が落下するのを防止するために、前記踏板の幅方向の両端部に垂直に配置される足場用幅木であって、
細長比の大きな長方形状をした幅木本体と、当該幅木本体の長手方向の両端部に取付けられて、前記横架材に係脱可能に係止される一対の係止金具とから成り、
前記一対の係止金具の少なくとも一方は、付勢手段により前記横架材に係止される方向に付勢された状態で、前記幅木本体に対して回動可能に支持されていることを特徴とする足場用幅木。
【請求項２】
一対の係止金具が各横架材に係止された状態で、前記付勢手段の付勢力は、前記係止を維持する方向に作用していることを特徴とする請求項１に記載の足場用幅木。
【請求項３】
各係止金具は、幅木本体の両側に配置される一対の金具片から成り、当該一対の金具片の一方は、幅木本体の上端から上方に突出して、係止金具を回動させるための操作部となっていることを特徴とする請求項１又は２に記載の足場用幅木。
【請求項４】
前記操作部は、幅木本体の内側に配置される金具片に設けられていて、外方に傾倒可能なように金具片の他の部分に対してヒンジ連結されていることを特徴とする請求項３に記載の足場用幅木。
【発明の詳細な説明】
【技術分野】
【０００１】
本発明は、仮設足場を構成する踏板から作業者の足を踏み落としたり、或いは各種作業道具、建築資材等が落下するのを防止するために、前記踏板の幅方向の両端部であって、隣接する支柱の間に垂直に配置される足場用幅木に関するものである。
【背景技術】
【０００２】
建築現場等で使用される仮設用の足場は、作業者の移動方向に沿って所定間隔をおいて立設される一対一組となった多数組の支柱、一対一組の支柱間に架設される多数の横架材、作業者の移動方向に沿って隣接する支柱間に架設される縦架材、隣接する前記横架材の間に支持される踏板等の機能の異なる各架設部材を組み付けて建築現場等に仮設される。
【０００３】
足場用幅木は、隣接する支柱の間に立設されて、踏板から作業者の足を踏み落としたり、或いは各種作業道具、建築資材等が落下するのを防止する架設部材であって、幅木本体の長手方向の両端部に、前記横架材に対して係脱される一対の係止金具がそれぞれ取付けられた構成である。
【０００４】
例えば、特許文献１に記載の幅木は、一対の係止金具の一方を回動可能な構造にすると共に、他方を固定構造にして、ボルトを回して可動側の係止金具の可動範囲を拡げて踏板支持材に係止させた後に、再度上記ボルトを逆に回して、可動範囲を規制して（狭くして）、横架材から係止金具が外れないようにしたものであって、ボルトを進退させて係止金具の可動範囲を調整しているために、横架材に対する着脱が極めて面倒である。
【０００５】
仮設用の足場は、多数の架設部材の架設、及びその解体を迅速に行えることが使用価値を定める大きな要因であるため、幅木の着脱に手間を要することは、使用価値を大きく低減させることになる。
【先行技術文献】
【特許文献】
【０００６】
【特許文献１】特開２００５−９７９８７号公報
【発明の概要】
【発明が解決しようとする課題】
【０００７】
本発明は、足場を構成する架設部材である横架材に対する着脱が容易で、しかも迅速に行える幅木の提供を課題としている。
【課題を解決するための手段】
【０００８】
上記の課題を解決するための請求項１の発明は、作業者の移動方向に沿って所定間隔をおいて立設される一対一組となった多数組の支柱、一対一組の支柱間に架設される多数の横架材、作業者の移動方向に沿って隣接する支柱間に架設される縦架材、隣接する前記横架材の間に支持される踏板等の機能の異なる各架設部材を組み付けて建築現場等に仮設される足場に使用され、前記踏板から作業者の足を踏み落としたり、或いは各種作業道具、建築資材等が落下するのを防止するために、前記踏板の幅方向の両端部に垂直に配置される足場用幅木であって、細長比の大きな長方形状をした幅木本体と、当該幅木本体の長手方向の両端部に取付けられて、前記横架材に係脱可能に係止される一対の係止金具とから成り、前記一対の係止金具の少なくとも一方は、付勢手段により前記横架材に係止される方向に付勢された状態で、前記幅木本体に対して回動可能に支持されていることを特徴としている。
【０００９】
幅木本体の両端部の係止金具の双方が回動構造の場合には、一対の係止金具の一方の係止部が横架材から離れるように、付勢手段の付勢力に抗して当該一方の係止金具を支点を中心に回動させた状態で、当該一方の係止金具を、踏板の長手方向の端縁と横架材との間の隙間に挿入した後に、付勢力に抗する力を解放すると、当該付勢力により係止金具は、その下端部の係止部が横架材に近接するように回動して、係止金具の係止部と横架材とが係止される。次に、他方の係止金具に関しても、全く同様の操作により、別の横架材に対して係止金具の係止部を係止させると、幅木本体の長手方向の両端部に取付けられた各係止金具は、それぞれの横架材に係止されて、踏板の幅方向の端部であって、作業者の移動方向に沿って隣接する支柱の間に踏板が配置される。一方、幅木を取り外すには、装着時と逆の順序で各操作を行えばよい。このように、幅木本体の長手方向の両端部に取付けられる係止金具が付勢手段により係止方向に付勢された状態で回動可能な構造になっているので、当該係止金具を回動させることにより、幅木本体を大きく傾斜させなくても、横架材に対して幅木本体の長手方向の両端の係止金具の係止、及びその解除を行うことができ、しかも付勢手段の付勢力に抗して係止金具を回動させて、当該係止金具の下端部の係止部を前記隙間に挿入したり、或いは当該隙間から脱出させた後には、付勢力に抗する力を解放させるのみで、係止金具の係止部が横架材に係止されたり、或いは当該係止の解除を行えるので、幅木の着脱を容易に、しかも瞬時に行える。また、横架材に対する幅木の着脱は、係止金具の上端部を軽く掴んで、いずれかの方向に回動させる操作のみでよいため、換言すると、作業者が脱着作業中に目視できる範囲内の操作のみでよいため、係止金具の下部と横架材との間の狭隘な部分に手を回して操作する必要がなくなり、この点においても、幅木の着脱操作が容易となる。
【００１０】
また、一対の係止金具のうち一方のみが回動可能な構造である場合には、固定構造の係止金具の側が低くなるように幅木本体を傾斜させて、当該固定構造の係止金具の係止部を前記隙間に挿入して横架材と係止させた後に、他方の回動構造の係止金具を上記操作により横架材に係止させればよい。一方、幅木を取り外す際には、装着時と逆の順序で、回動構造の係止金具の側から、横架材に対する係止を解除すればよい。
【００１１】
また、請求項２の発明は、請求項１の発明において、一対の係止金具が各横架材に係止された状態で、前記付勢手段の付勢力は、前記係止を維持する方向に作用していることを特徴としている。
【００１２】
請求項２の発明によれば、一対の係止金具が各横架材に係止された状態で、前記付勢手段の付勢力は、前記係止を維持する方向に作用しているため、横架材に対する係止金具の係止が確実となって、使用中において当該係止が解除されなくなって、完全性が高められる。
【００１３】
また、請求項３の発明は、請求項１又は２の発明において、各係止金具は、幅木本体の両側に配置される一対の金具片から成り、当該一対の金具片の一方は、幅木本体の上端から上方に突出して、係止金具を回動させるための操作部となっていることを特徴としている。
【００１４】
一対の金具片の一方は、幅木本体の上端から上方に突出した操作部が設けられているため、係止金具の回動操作が容易である。
【００１５】
また、請求項４の発明は、請求項３の発明において、前記操作部は、幅木本体の内側に配置される金具片に設けられていて、外方に傾倒可能なように金具片の他の部分に対してヒンジ連結されていることを特徴としている。
【００１６】
請求項４の発明によれば、一方の金具片に、幅木本体の上端から上方に突出して設けられた操作部が障害となる場合には、外方に傾動させればよいので、当該障害を回避できる。
【発明の効果】
【００１７】
本発明は、幅木本体の長手方向の両端部に取付けられる係止金具が付勢手段により係止方向に付勢された状態で回動可能な構造になっているので、幅木本体に対して係止金具を回動させることにより、幅木本体を大きく傾斜させなくても、横架材に対して幅木本体の長手方向の両端の係止金具の係止、及びその解除を行うことができ、しかも付勢手段の付勢力に抗して係止金具を回動させて、当該係止金具の下端部の係止部を前記隙間に挿入したり、或いは当該隙間から脱出させた後には、付勢力に抗する力を解放させるのみで、係止金具の係止部が横架材に係止されたり、或いは当該係止の解除を行えるので、幅木の着脱を容易に、しかも瞬時に行える。
【図面の簡単な説明】
【００１８】
【図１】仮設足場の部分斜視図である。
【図２】同じく部分平面図である。
【図３】幅木Ａの斜視図である。
【図４】幅木Ａの分解斜視図である。
【図５】幅木Ａの一方の係止金具Ｅを横架材４に係止させる途中の状態を示す作用説明図である。
【図６】一方の係止金具Ｅが横架材４に係止された後に、他方の係止金具Ｅを別の横架材４に係止させる途中の状態の作用説明図である。
【図７】対向する各横架材４に各係止金具Ｅが係止されて、幅木Ａが垂直に配置された状態の作用説明図である。
【図８】金具片１１の操作部１１b'がヒンジ３１により外側に傾倒する構造の係止金具Ｅの使用状態の斜視図である。
【発明を実施するための形態】
【００１９】
以下、最良の実施例を挙げて、本発明について更に詳細に説明する。図１は、仮設足場の部分斜視図であり、図２は、同じく部分平面図であり、図３は、幅木Ａの斜視図であり、図４は、幅木Ａの分解斜視図である。最初に仮設足場の概略について説明し、その後に、本発明に係る幅木Ａについて詳細に説明する。
【００２０】
図１及び図２において、仮設足場は、ジャッキ１で支持されて、作業者の移動方向Ｐと直交する方向Ｑに沿って所定間隔をおいて一対一組の支柱２が立設され、一対一組の支柱２は、作業者の移動方向Ｐに沿って前記所定間隔よりも大きな間隔をおいて多数組だけ立設される。支柱２には、高さ方向に沿って一定間隔をおいて一対一組となった二組のホルダー３が固着されている。ホルダー３は、支柱２に固着された状態で断面略方形状の挿入空間を形成していて、当該挿入空間は下方に向けて漸次狭くなっており、一対一組のホルダー３は、支柱２の対向位置に固着され、二組のホルダー３は、高さ方向に沿って僅かにずれている。横架材４は、作業者の移動方向Ｐと直交する方向Ｑに沿って対向する一対の支柱２の間に配置されて、両端部の嵌着材５（図２及び図３参照）が各支柱２のホルダー３に嵌着されて、一対の支柱２の間に架設される。図１及び図２では、踏板６が支持される部分の横架材のみが図示されているが、実際には、一対の支柱２の高さの異なる部分に多数架設される。一方、縦架材７は、作業者の移動方向Ｐに沿って隣接する２本の支柱２の間に架設される部材であって、作業者の手の高さに架設されるものは、手摺りとなる。作業者の移動方向Ｐに沿って隣接する横架材４の間には、踏板６の長手方向の両端に設けられた複数の引掛け具８が当該横架材４に引っ掛けられることにより、隣接する各横架材４の間に踏板６が配置される。このように、仮設足場は、多数本の支柱２、横架材４及び縦架材７を、当該支柱２に設けられたホルダー３に対する嵌着材５の嵌着により一体に組み付けることにより、組付け、及び解体の双方を容易にした上で、必要剛性を確保している。
【００２１】
上記のようにして足場を組付けると、踏板６の長手方向の両端縁と横架材４との間には、所定の隙間９が形成され、当該隙間９に係止金具Ｅの下端部の係止部１１ａを挿入して横架材４に係止させることにより、踏板６の幅方向の両端部に幅木Ａが垂直となって配置される。幅木Ａは、踏板６の長さ（作業者の移動方向に沿った支柱２の間隔）に対応した長さを有する細長比の大きな方形状をした幅木本体２０と、当該幅木本体２０の長手方向の両端部に装着されて、前記踏板６を支持している横架材４に解除可能に係止される一対の係止金具Ｅとで構成される。幅木本体２０は、幅方向の両端部が同一側に二重に折り曲げられて曲げ強度を確保した構造になっていて、配置状態で下端側に配置される２箇所の各コーナー部は、面取りが施されている。
【００２２】
一対の係止金具Ｅは、対称形状をなしている。係止金具Ｅは、幅木本体２０の両側に配置される一対の金具片１１と、当該一対の金具片１１を一体に連結すると共に、幅木本体２０に対して回動可能に支持する支点ピン１２と、同じく当該一対の金具片１１を一体に連結すると共に、当該幅木本体２０に対する回動範囲を規制するための規制ピン１３と、当該支点ピン１２及び規制ピン１３を介して幅木本体２０に一体状となって連結された一対の金具片１１を係止方向に付勢させるための引張りバネ１４とで構成される。一対の金具片１１は、下端部の各係止部１１ａの幅を広くして、係止状態における幅木本体２０の自立を可能にするために、金属板材の長手方向の中央部を互いに異なる方向に直角に折り曲げられていて、内側に配置される側の金具片１１のみに、幅木本体２０に連結した状態で当該幅木本体２０の上端面から突出する操作部１１ｂが使用状態で上方に延設されている。各金具片１１における幅木本体２０に密着する部分には、支点ピン１２及び規制ピン１３を挿通するための挿通孔１５，１６がそれぞれ形成されている。また、金具片１１は、その下端部の係止部１１ａを前記隙間９に挿入して横架材４に係止させたり、或いは横架材４と係止した状態から係止部１１ａが隙間９から脱出し易くするために、横架材４に係止した状態において支点ピン１２を中心に係止金具Ｅを所定角度だけ回動した状態において、係止部１１ａの背面側の部分１１ｃがほぼ垂直となるようにしてある。これにより、横架材４との干渉を回避して、狭い隙間９から係止金具Ｅの係止部１１ａの挿入、及びその脱出を可能にしている。なお、係止金具Ｅが横架材４に係止した状態において、直列配置される別の幅木Ａの係止金具Ｅの係止部１１ａとの干渉を回避するために、係止金具Ｅの係止部１１ａの先端は、横架材４の中心を超えていない。
【００２３】
幅木本体２０の長手方向の端部には、支点ピン１２を挿通するための支点ピン孔２１と、当該支点ピン孔２１を中心とする円弧状の長孔２２が形成されている。一対の金具片１１は、幅木本体２０の両側に配置されて、ボルトから成る支点ピン１２が前記支点ピン孔２１に挿通されてナット２３と螺合されることにより、支点部で連結されると共に、同じくボルトから成る規制ピン１３が前記長孔２２に挿通されてナット２４と螺合されることにより、長孔２２の部分で連結されている。また、操作部１１ｂを有しない外側の金具片１１の上端部に取付けられた引掛けピン２５と、幅木本体２０における係止金具Ｅの配置位置よりも内側に配置された別の引掛けピン２６との間に、引張りバネ１４の両端部が連結されている。よって、係止金具Ｅは、各金具片１１の係止部１１ａが横架材４に係止する方向に付勢された状態で、支点ピン１２を回動支点として幅木本体２０の長手方向の両端部に回動可能に装着されている。そして、係止金具Ｅは横架材４に対して、以下の２つの条件を満たすように回動可能に装着されている。２つの条件とは、各金具片１１の係止部１１ａが横架材４に係止された状態においても係止を維持する方向に引張りバネ１４の付勢力が作用するように、前記長孔２２の配置位置、及び長さが定められていること、及び引張りバネ１４の付勢力に抗して横架材４に対して各金具片１１の係止部１１ａを離間させた状態で、前記隙間９の間から各金具片１１の係止部１１ａが脱出させられるように、各金具片１１の係止部１１ａの形状が定められていることである。
【００２４】
次に、図５〜図７を参照して、踏板６の長手方向の端縁と横架材４との間に形成された隙間９を利用して、当該踏板６の幅方向の両端部に幅木Ａを垂直にして配置する場合、及び装着された幅木Ａを取り外す場合について説明する。図５は、幅木Ａの一方の係止金具Ｅを横架材４に係止させる途中の状態を示す作用説明図であり、図６は、一方の係止金具Ｅが横架材４に係止された後に、他方の係止金具Ｅを別の横架材４に係止させる途中の状態の作用説明図であり、図７は、対向する各横架材４に各係止金具Ｅが係止されて、幅木Ａが垂直に配置された状態の作用説明図である。
【００２５】
踏板６の幅方向の両端部に幅木Ａを垂直にして配置するには、図５に示されるように、引張りバネ１４の引張り力に抗して、一方の係止金具Ｅの係止部１１ａが横架材４から離間する方向に当該係止金具Ｅを支点ピン１２を中心にして、図示の状態で時計方向に回動させて、当該係止部１１ａの背面側の部分がほぼ垂直となるようにして、そのままの状態で、係止金具Ｅの下端部の係止部１１ａを前記隙間９に挿入して、当該係止部１１ａの下端が横架材４の中心を通過した後に、引張りバネ１４の引張り力に抗する力を解放すると、図６に示されるように、当該係止金具Ｅは、引張りバネ１４の引張り力により、支点ピン１２を中心にして上記と反対である反時計方向に回動して、係止金具Ｅの下端部の係止部１１ａは横架材４に係止される。
【００２６】
次に、他方の係止金具Ｅに関しても、上記と同様にして、当該係止金具Ｅの下端部の係止部１１ａを他方の横架材４に係止させると、図１及び図７に示されるように、幅木Ａは、踏板６の幅方向の端部に垂直となって配置される。また、係止金具Ｅの係止部１１ａが横架材４に係止した状態で、係止金具Ｅに取付けられた規制ピン１３は、幅木本体２０の長手方向の端部に形成された長孔２２の形成端に達していないので、引張りバネ１４の引張り力は、係止金具Ｅの係止部１１ａと横架材４との係止を維持するように作用する。この結果、足場の使用中において、衝撃力や振動等が作用しても、係止金具Ｅの係止部１１ａと横架材４との係止が解除されなくなって、安全性が高められる。
【００２７】
一方、足場の解体時に幅木Ａを対向する各横架材４から取り外すには、装着時と逆の順序で各操作を行えばよい。即ち、引張りバネ１４の引張り力に抗して係止金具Ｅを、その係止部１１ａが横架材４から離間する方向に回動させた状態で、係止金具Ｅの係止部１１ａを前記隙間９から脱出させる。その後に、他方の係止金具Ｅに関しても、同様にして係止部１１ａを隙間９から脱出させる。
【００２８】
このように、幅木本体２０の長手方向の両端部に取付けられる係止金具Ｅが引張りバネ１４の引張り力により、横架材４に対する係止方向に付勢された状態で回動可能な構造になっているので、幅木本体２０に対して係止金具Ｅを回動させることにより、幅木本体２０を大きく傾斜させなくても、横架材４に対して幅木本体２０の長手方向の両端部に取付けられた係止金具Ｅの係止、及びその解除を行える。しかも、引張りバネ１４の引張り力に抗して係止金具Ｅを回動させて、当該係止金具Ｅの下端部の係止部１１ａを前記隙間９に挿入したり、或いは当該隙間９から脱出させた後には、引張り力に抗する力を解放させるのみで、係止金具Ｅの係止部１１ａが横架材４に係止されたり、或いは当該係止の解除を行えるので、横架材４に対する幅木Ａの着脱を容易に、しかも瞬時に行える。
【００２９】
なお、引張りバネ１４の引張り力が小さくても、係止金具Ｅの係止部１１ａと横架材４との係止が解除されない場合には、幅木本体２０を水平にして、両端の係止金具Ｅの各係止部１１ａを両端の各隙間９に同時に落とし込むようにして、各横架材４に係止させることも可能である。
【００３０】
また、上記実施例は、幅木本体２０の長手方向の両端部に取付けられる各係止金具Ｅのいずれもが、引張りバネ１４の引張り力により横架材４に対する係止方向に付勢された状態で回動可能な構造であるが、幅木本体２０の長手方向の一端部には、上記した回動可能な構造の係止金具Ｅが取付けられ、他端部には、固定構造の係止金具Ｅが取付けられた構造であってもよい。この構造の幅木では、横架材４に対して取付ける場合には、幅木本体を大きく傾斜させて、固定構造の係止金具を横架材に係止させた後に、回動構造の係止金具を幅木本体に対して上記したように回動させて、別の横架材に係止させる。一方、横架材から幅木を取り外す場合には、回動構造の係止金具の側から、当該係止を解除した後に、幅木本体を傾斜させて固定構造の係止金具の係止を解除する。
【００３１】
また、図８に示されるように、幅木本体２０の裏側に配置される金具片１１の操作部１１ｂの突出長が長い場合には、操作部１１ｂが障害となることがあるので、当該操作部１１ｂをヒンジ３１により金具片１１の本体部に連結して、幅木Ａの着脱時以外の時には、前記操作部１１ｂを外側に傾倒させておくとよい。
【符号の説明】
【００３２】
Ａ：幅木
Ｅ：係止金具
Ｐ：作業者の移動方向
Ｑ：作業者の移動方向と直交する方向
２：支柱
４：横架材
６：踏板
７：縦架材
９：踏板と横架材との隙間
１１：金具片
１１ａ：係止部
１１b,１１b'：操作部
１２：支点ピン
１３：規制ピン
１４：引張りバネ（付勢手段）
２０：幅木本体
２２：長孔
３１：ヒンジ
【図１】
2010255268.tif 000003
【図２】
2010255268.tif 000004
【図３】
2010255268.tif 000005
【図４】
2010255268.tif 000006
【図５】
2010255268.tif 000007
【図６】
2010255268.tif 000008
【図７】
2010255268.tif 000009
【図８】
2010255268.tif 000010